(57)【要約】【課題】  本発明の目的とするところは、ユーザが運動量情報を複数のコンテンツおよび少なくとも一つのディスプレイ装置を用いて統合的に管理するための運動量情報管理方法およびそれを用いたディスプレイ装置、並びにサーバを提供することにある。【解決手段】  運動量情報管理方法およびそれを用いたディスプレイ装置、並びにサーバが提供される。本ディスプレイ装置の運動量情報管理方法は、複数の運動コンテンツを利用して少なくとも一つのユーザの運動量情報を測定し、測定された運動量情報をサーバに伝送し、サーバから統合演算された運動量情報を受信し、受信された統合演算された運動量情報をディスプレイ装置に表示する。それにより、ユーザは自分の健康状態の変化を直観的に確認することができ、複数の運動コンテンツを利用して統合的に健康管理を行うことができるようになる。【選択図】  図１１
2013156995.tif 000002
【特許請求の範囲】
【請求項１】
ディスプレイ装置における運動量情報管理方法において、
複数の運動コンテンツを利用して少なくとも一つのユーザの運動量情報を測定し、前記測定された運動量情報をサーバに伝送するステップと、
前記サーバから統合演算された運動量情報を受信し、前記ディスプレイ装置に表示するステップと
を含む運動量情報管理方法。
【請求項２】
前記運動量情報は、
ユーザが利用した運動コンテンツ情報と、ユーザの運動時間情報およびデプスカメラとアームバンドとを用いて算出された消費カロリー情報のうち、少なくとも何れか一つを含むことを特徴とする請求項１に記載の運動量情報管理方法。
【請求項３】
前記ユーザの身体情報およびユーザの運動目標情報を獲得してサーバに伝送するステップを更に含むことを特徴とする請求項１に記載の運動量情報管理方法。
【請求項４】
前記ユーザの身体情報は、
ユーザの身長および体重の少なくとも何れか一方を含み、
前記ユーザの身長はデプスカメラを用いて獲得し、前記ユーザの体重はデジタル体重計を用いて獲得し、
前記ユーザの運動目標情報は、
前記ユーザの目標体重と、カロリー消費量と、運動期間およびユーザの利用する運動コンテンツのうち、少なくとも何れか一つを含むことを特徴とする請求項３に記載の運動量情報管理方法。
【請求項５】
前記サーバから前記ユーザの身体情報およびユーザの運動目標情報を受信するステップを更に含み、
前記表示するステップは、
前記ユーザの身体情報と、前記ユーザの運動目標情報および前記ユーザの運動量情報を用いて健康管理ＵＩを生成して表示することを特徴とする請求項３に記載の運動量情報管理方法。
【請求項６】
前記健康管理ＵＩは、
前記複数のコンテンツを利用して測定された運動量情報を日付別にまたはコンテンツ別にグラフを用いて表示することを特徴とする請求項５に記載の運動量情報管理方法。
【請求項７】
前記健康管理ＵＩは、
前記ユーザの変化した身体情報およびユーザの運動目標達成可否を表示することを特徴とする請求項５に記載の運動量情報管理方法。
【請求項８】
前記ユーザの運動目標情報を入力するための運動目標入力ＵＩを表示するステップを更に含み、
前記運動目標入力ＵＩは、
特定ミッションを行ったときに消費されるカロリー量をガイドするミッションリストを含むことを特徴とする請求項３に記載の運動量情報管理方法。
【請求項９】
前記ユーザの身体情報およびユーザの運動量情報を分析し、ユーザにおすすめの運動コンテンツを提供するステップを含むことを特徴とする請求項３に記載の運動量情報管理方法。
【請求項１０】
ディスプレイ装置において、
複数の運動コンテンツを利用して少なくとも一つのユーザの運動量情報を測定する運動量測定部と、
前記測定された運動量情報をサーバに伝送する通信部と、
前記サーバから統合演算された運動量情報を受信し、前記ディスプレイ装置に表示するディスプレイ部と
を含むディスプレイ装置。
【請求項１１】
前記運動量情報は、
ユーザが利用した運動コンテンツ情報と、ユーザの運動時間情報およびデプスカメラとアームバンドとを用いて算出された消費カロリー情報のうち、少なくとも何れか一つを含むことを特徴とする請求項１０に記載のディスプレイ装置。
【請求項１２】
前記ユーザの身体情報およびユーザの運動目標情報を獲得するための情報獲得部を更に含み、
前記通信部は、
前記獲得されたユーザの身体情報およびユーザの運動目標情報を前記サーバに伝送することを特徴とする請求項１０に記載のディスプレイ装置。
【請求項１３】
前記ユーザの身体情報は、
ユーザの身長および体重の少なくとも何れか一方を含み、
前記ユーザの身長はデプスカメラを用いて獲得し、前記ユーザの体重はデジタル体重計を用いて獲得し、
前記ユーザの運動目標情報は、
前記ユーザの目標体重と、カロリー消費量と、運動期間およびユーザの利用する運動コンテンツのうち、少なくとも何れか一つを含むことを特徴とする請求項１２に記載のディスプレイ装置。
【請求項１４】
前記通信部を介して受信された前記ユーザの身体情報、前記ユーザの運動目標情報および前記ユーザの運動量情報を用いて健康管理ＵＩを生成するＵＩ生成部を更に含み、
前記ディスプレイ部は、
前記生成された健康管理ＵＩをディスプレイすることを特徴とする請求項１２に記載のディスプレイ装置。
【請求項１５】
前記健康管理ＵＩは、
前記複数のコンテンツを利用して測定された運動量情報を日付別にまたはコンテンツ別にグラフを用いて表示することを特徴とする請求項１４に記載のディスプレイ装置。
【発明の詳細な説明】
【技術分野】
【０００１】
本発明は、運動量情報管理方法およびそれを用いたディスプレイ装置、並びにサーバに関し、より詳細には、ディスプレイ装置とサーバとを用いてユーザの健康を管理する運動量情報管理方法およびそれを用いたディスプレイ装置、並びにサーバに関する。
【背景技術】
【０００２】
高齢者の人口および肥満人口の増加により、健康管理への関心が高まっている。特に、最近は、個人端末を用いてユーザの健康を管理するプログラムを増加している。例えば、ユーザの健康情報および運動情報を周期的に管理してくれる健康プログラムが開発されている。
【０００３】
しかし、従来の健康プログラムは、単にユーザの運動量（例えば、運動時間や運動距離、カロリー消費量等）を測定して保存したり表示したりする。よって、ユーザは、自分の身体がどのように管理されているのか、把握することが困難という問題点があった。なお、ユーザは、運動コンテンツ別に、ディスプレイ装置別に健康管理を行わなければならないという問題がある。
【０００４】
よって、より直観的かつ統合的にユーザの健康情報を管理するための方策への模索が求められる。
【先行技術文献】
【特許文献】
【０００５】
【特許文献１】韓国特開第２０１２−００９７４３２号公報
【特許文献２】韓国特開第２０１２−００４５５２０号公報
【特許文献３】韓国特開第２０１１−００４４１１３号公報
【発明の概要】
【発明が解決しようとする課題】
【０００６】
そこで、本発明は、上記問題に鑑みてなされたものであり、本発明の目的とするところは、ユーザが運動量情報を複数のコンテンツおよび少なくとも一つのディスプレイ装置を用いて統合的に管理するための運動量情報管理方法およびそれを用いたディスプレイ装置、並びにサーバを提供することにある。
【課題を解決するための手段】
【０００７】
前記目的を達成するための本発明の一実施形態に係るディスプレイ装置における運動量情報管理方法は、複数の運動コンテンツを利用して少なくとも一つのユーザの運動量情報を測定し、前記測定された運動量情報をサーバに伝送するステップと、前記サーバから統合演算された運動量情報を受信し、前記ディスプレイ装置に表示するステップとを含む。
【０００８】
そして、前記運動量情報は、ユーザが利用した運動コンテンツ情報と、ユーザの運動時間情報およびデプスカメラとアームバンドとを用いて算出された消費カロリー情報のうち、少なくとも何れか一つを含んでよい。
【０００９】
なお、前記ユーザの身体情報およびユーザの運動目標情報を獲得してサーバに伝送するステップを更に含んでよい。
【００１０】
そして、前記ユーザの身体情報は、ユーザの身長および体重の少なくとも何れか一方を含み、前記ユーザの身長はデプスカメラを用いて獲得し、前記ユーザの体重はデジタル体重計を用いて獲得し、前記ユーザの運動目標情報は、前記ユーザの目標体重と、カロリー消費量と、運動期間およびユーザの利用する運動コンテンツのうち、少なくとも何れか一つを含んでよい。
【００１１】
なお、前記サーバから前記ユーザの身体情報およびユーザの運動目標情報を受信するステップを更に含み、前記表示するステップは、前記ユーザの身体情報と、前記ユーザの運動目標情報および前記ユーザの運動量情報を用いて健康管理ＵＩを生成して表示してよい。
【００１２】
そして、前記健康管理ＵＩは、前記複数のコンテンツを利用して測定された運動量情報を日付別にまたはコンテンツ別にグラフを用いて表示してよい。
【００１３】
なお、前記健康管理ＵＩは、前記ユーザの変化した身体情報およびユーザの運動目標達成可否を表示してよい。
【００１４】
そして、前記ユーザの運動目標情報を入力するための運動目標入力ＵＩを表示するステップを更に含み、前記運動目標入力ＵＩは、特定ミッションを行ったときに消費されるカロリー量をガイドするミッションリストを含んでよい。
【００１５】
なお、前記ユーザの身体情報およびユーザの運動量情報を分析し、ユーザにおすすめの運動コンテンツを提供するステップを含んでよい。
【００１６】
一方、前記目的を達成するための本発明の一実施形態に係るディスプレイ装置は、複数の運動コンテンツを利用して少なくとも一つのユーザの運動量情報を測定する運動量測定部と、前記測定された運動量情報をサーバに伝送する通信部と、前記サーバから統合演算された運動量情報を受信し、前記ディスプレイ装置に表示するディスプレイ部とを含む。
【００１７】
そして、前記運動量情報は、ユーザが利用した運動コンテンツ情報と、ユーザの運動時間情報およびデプスカメラとアームバンドとを用いて算出された消費カロリー情報のうち、少なくとも何れか一つを含んでよい。
【００１８】
なお、前記ユーザの身体情報およびユーザの運動目標情報を獲得するための情報獲得部を更に含み、前記通信部は、前記獲得されたユーザの身体情報およびユーザの運動目標情報を前記サーバに伝送してよい。
【００１９】
そして、前記ユーザの身体情報は、ユーザの身長および体重の少なくとも何れか一方を含み、前記ユーザの身長はデプスカメラを用いて獲得し、前記ユーザの体重はデジタル体重計を用いて獲得し、前記ユーザの運動目標情報は、前記ユーザの目標体重と、カロリー消費量と、運動期間およびユーザの利用する運動コンテンツのうち、少なくとも何れか一つを含んでよい。
【００２０】
なお、前記通信部を介して受信された前記ユーザの身体情報、前記ユーザの運動目標情報および前記ユーザの運動量情報を用いて健康管理ＵＩを生成するＵＩ生成部を更に含み、前記ディスプレイ部は、前記生成された健康管理ＵＩをディスプレイしてよい。
【００２１】
そして、前記健康管理ＵＩは、前記複数のコンテンツを利用して測定された運動量情報を日付別にまたはコンテンツ別にグラフを用いて表示してよい。
【００２２】
なお、前記健康管理ＵＩは、前記ユーザの変化した身体情報およびユーザの運動目標達成可否を表示してよい。
【００２３】
そして、前記ユーザの運動目標情報を入力するための運動目標入力ＵＩを生成するＵＩ生成部を更に含み、前記運動目標入力ＵＩは、特定ミッションを行ったときに消費されるカロリー量をガイドするミッションリストを含んでよい。
【００２４】
なお、前記ユーザの身体情報およびユーザの運動量情報を分析し、ユーザにおすすめの運動コンテンツを提供する制御部を更に含んでよい。
【００２５】
一方、前記目的を達成するための本発明の一実施形態に係る少なくとも一つのディスプレイ装置と連動してユーザの運動量情報を管理するサーバの運動量情報管理方法は、前記少なくとも一つのディスプレイ装置から運動量情報を受信して保存するステップと、前記少なくとも一つのディスプレイ装置から受信された運動量情報をユーザ別に統合演算して統合運動量情報を生成するステップと、前記少なくとも一つのディスプレイ装置から要求信号が受信されると、前記生成された統合運動量情報を前記要求信号が受信されたディスプレイ装置に伝送するステップとを含む。
【００２６】
そして、前記少なくとも一つのディスプレイ装置からユーザ身体情報およびユーザ運動目標情報を受信するステップと、前記受信されたユーザ身体情報と、ユーザ運動目標情報および前記運動量情報を用いておすすめの運動コンテンツを提供するステップとを更に含んでよい。
【００２７】
一方、前記目的を達成するための本発明の一実施形態に係る少なくとも一つのディスプレイ装置と連動してユーザの運動量情報を管理するサーバは、前記少なくとも一つのディスプレイ装置からユーザの運動量情報を受信する通信部と、前記通信部を介して受信された運動量情報を保存する保存部と、前記受信された運動量情報をユーザ別に統合演算して、前記少なくとも一つのディスプレイ装置に伝送するための統合運動量情報を生成する制御部とを含む。
【００２８】
そして、前記通信部は、前記少なくとも一つのディスプレイ装置からユーザ身体情報およびユーザ運動目標情報を受信し、前記制御部は、前記受信されたユーザ身体情報と、ユーザ運動目標情報および前記運動量情報を用いておすすめの運動コンテンツを提供してよい。
【発明の効果】
【００２９】
以上説明したように、本発明によれば、ユーザは自己の健康状態の変化を直観的に確認することができ、複数のディスプレイ装置を用いて統合的に健康管理ができるようになる。
【図面の簡単な説明】
【００３０】
【図１】本発明の一実施形態に係るディスプレイ装置およびサーバを含む運動量情報管理システムを説明するための概略図である。
【図２】本発明の一実施形態に係るディスプレイ装置の構成を示すブロック図である。
【図３Ａ】本発明の多様な実施形態に係るディスプレイ装置でユーザの健康を管理するために提供されるＵＩを示す図である。
【図３Ｂ】本発明の多様な実施形態に係るディスプレイ装置でユーザの健康を管理するために提供されるＵＩを示す図である。
【図３Ｃ】本発明の多様な実施形態に係るディスプレイ装置でユーザの健康を管理するために提供されるＵＩを示す図である。
【図４】本発明の多様な実施形態に係るディスプレイ装置でユーザの健康を管理するために提供されるＵＩを示す図である。
【図５Ａ】本発明の多様な実施形態に係るディスプレイ装置でユーザの健康を管理するために提供されるＵＩを示す図である。
【図５Ｂ】本発明の多様な実施形態に係るディスプレイ装置でユーザの健康を管理するために提供されるＵＩを示す図である。
【図６】本発明の多様な実施形態に係るディスプレイ装置でユーザの健康を管理するために提供されるＵＩを示す図である。
【図７】本発明の多様な実施形態に係るディスプレイ装置でユーザの健康を管理するために提供されるＵＩを示す図である。
【図８】本発明の一実施形態に係る運動量情報管理システムに含まれたサーバの構成を示すブロック図である。
【図９】本発明の多様な実施形態に係る運動量情報管理方法を説明するためのフローチャートである。
【図１０】本発明の多様な実施形態に係る運動量情報管理方法を説明するためのフローチャートである。
【図１１】本発明の多様な実施形態に係る運動量情報管理方法を説明するためのフローチャートである。
【発明を実施するための形態】
【００３１】
以下に添付図面を参照しながら、本発明の好適な実施形態について詳細に説明する。
【００３２】
図１は、本発明の一実施形態に係る運動情報管理システム１０は、複数のディスプレイ装置１００−１、１００−２および健康管理サーバ２００を含む。一方、図１では、ディスプレイ装置がテレビ１００−１、携帯電話１００−２であるとして説明したが、それは一実施形態に過ぎず、パソコンやノートパソコン、タブレットパソコン、ＰＤＡ等で実現されてよい。
【００３３】
ディスプレイ装置１００は、ユーザ認証を行う。このとき、ユーザ認証はＩＤ／パスワード、顔認識、虹彩認識および指紋認識のうち、少なくとも何れか一つを用いることができる。ユーザ認識を通じて運動量情報を管理することにより、ユーザは複数のディスプレイ装置１００−１、１００−２を用いて時間および場所によらずに、本発明の位置実施形態に係る運動量情報管理サービスの提供を受けることができるようになる。
【００３４】
そして、ディスプレイ装置１００は、ユーザ身体情報およびユーザ運動目標情報を獲得する。このとき、ユーザ身体情報は、ユーザの身長および体重が含まれてよく、ディスプレイ装置１００はデジタル体重計およびデプスカメラを用いてユーザの身体情報を獲得することができる。このとき、ユーザ身体情報にユーザの身長および体重が含まれることは一実施形態に過ぎず、ユーザの脈拍や血圧、体温および脳波のような身体情報が更に含まれてよい。
【００３５】
なお、ディスプレイ装置１００は、ユーザの設定によってユーザ運動目標情報を獲得する。このとき、運動目標情報は、ユーザの目標体重（または目標減量体重）、カロリー消費量、運動期間およびユーザの利用する運動コンテンツのうち、少なくとも何れか一つを含んでよい。
【００３６】
このとき、ユーザは一つのディスプレイ装置１００のみでユーザ身体情報および運動目標情報を獲得することができるが、それは一実施形態に過ぎず、複数のディスプレイ装置１００−１、１００−２を通じてユーザ身体情報および運動目標情報を獲得することができる。
【００３７】
そして、ディスプレイ装置１００は、獲得されたユーザ身体情報および運動目標情報を健康管理サーバ２００に伝送する。
【００３８】
健康管理サーバ２００は、ディスプレイ装置１００から伝送されたユーザ身体情報および運動目標情報を受信して保存する。
【００３９】
そして、ディスプレイ装置１００は、少なくとも一つの運動コンテンツを利用して運動量情報を測定する。具体的に、ディスプレイ装置１００は、ユーザの運動量情報を測定することができるコンテンツやプログラム、アプリケーションを用いて運動量情報を測定することができる。そして、ディスプレイ装置１００は、デプスカメラやアームバンド、脈拍計、血圧計等を用いて運動量情報を測定することができる。このとき、運動量情報はユーザの利用した運動コンテンツ情報、ユーザの運動時間情報および消費カロリー情報の少なくともいずれか一つを含んでよい。
【００４０】
なお、ディスプレイ装置１００は、運動アプリケーションまたは運動コンテンツインストールとともに保存されたメタデータを用いて運動量情報を測定することができる。例えば、メタデータにＡアプリケーションを１０分間利用するとすると、１０Ｋｃａｌのカロリーが消費されるという情報が含まれたメタデータが受信された場合、ディスプレイ装置１００は受信されたメタデータを用いて運動量情報を測定することができる。このとき、メタデータは、運動アプリケーションまたは運動コンテンツインストールとともに保存されてよいが、それは一実施形態に過ぎず、運動アプリケーションまたは運動コンテンツ実行時に外部のサーバからリアルタイムで受信されてよい。
【００４１】
ディスプレイ装置１００は、測定された運動量情報を健康管理サーバ２００に伝送してよい。
【００４２】
健康管理サーバ２００は、複数のディスプレイ装置１００−１、１００−２、…を介して受信された運動量情報を保存する。そして、健康管理サーバ２００は、複数のディスプレイ装置１００−１、１００−２…から受信された運動量情報を統合演算して統合運動量情報を生成する。このとき、複数のディスプレイ装置１００−１、１００−２…から受信された運動量情報のカロリー単位が異なる場合、健康管理サーバ２００は、カロリー単位を一致させて統合運動量情報を生成することができる。例えば、Ａディスプレイ装置で受信されたカロリー単位がｃａｌであり、Ｂディスプレイ装置で受信されたカロリー単位がＫｃａｌであり、Ｃディスプレイ装置で受信されたカロリー単位がＭＥＴｓ（Ｍｅｔａｂｏｌｉｃ  Ｅｑｕｉｖａｌｅｎｔ  ｏｆ  Ｔａｓｋ）である場合、健康管理サーバ２００はＡディスプレイ装置、Ｂディスプレイ装置、Ｃディスプレイ装置から伝送された運動量情報をｃａｌ単位に変換して統合演算することができる。
【００４３】
ここで、健康管理サーバ２００は、統合運動量情報をディスプレイ装置別、日付別、コンテンツ別に区分して保存することもできる。
【００４４】
健康管理サーバ２００は、受信されたユーザ身体情報、運動目標情報および統合運動量情報を用いて健康管理ＵＩを生成するための健康管理データを生成する。
【００４５】
そして、複数のディスプレイ装置１００−１、１００−２…の何れか一つから健康管理データの伝送要求が受信されると、健康管理サーバ２００は健康管理データをディスプレイ装置２００に伝送する。健康管理データには、ユーザの変化した身体情報、ユーザが目標を達成できたか否か、おすすめの運動コンテンツ等が含まれてよい。
【００４６】
そして、ディスプレイ装置１００は、受信された健康管理データを用いて健康管理ＵＩを生成してディスプレイする。ここで、健康管理ＵＩは、健康管理サーバ２００で統合演算された統合運動量情報を日付別またはコンテンツ別にグラフを用いて表示することができる。なお、健康管理ＵＩは、ユーザの変化した身体情報およびユーザの運動目標達成可否を表示することができる。
【００４７】
上述のような運動量情報管理システム１０によって、ユーザは自分の健康状態の変化を直観的に確認することができ、複数の運動コンテンツおよび少なくとも一つのディスプレイ装置を用いて統合的に健康管理をすることができるようになる。
【００４８】
以下では、図２および図８を参照して、本発明の一実施形態に係るディスプレイ装置１００および健康管理サーバ２００について説明する。
【００４９】
図２は、本発明の一実施形態に係るディスプレイ装置１００の構成を示すブロック図である。図２に示すように、ディスプレイ装置１００は、ユーザ認証部１１０と、情報獲得部１２０と、運動量測定部１３０と、通信部１４０と、ＵＩ生成部１５０と、ディスプレイ部１６０および制御部１７０を含む。
【００５０】
ユーザ認証部１１０は、運動量情報管理サービスを受けるユーザを認証する。このとき、ユーザ認証部１１０は、ＩＤ／パスワードを用いてユーザを認証することができるが、それは一実施形態に過ぎず、顔認識、虹彩認識、指紋認識等を用いてユーザを認識することができる。
【００５１】
情報獲得部１２０は、ユーザの身体情報および運動目標情報を獲得する。具体的に、情報獲得部１２０は、デジタル体重計、デプスカメラのようなサブ装置を用いてユーザの身体情報を獲得することができる。特に、情報獲得部１２０は、デジタル体重計を用いてユーザの体重情報を獲得し、デプスカメラを用いてユーザの身長情報を獲得することができる。しかし、それは一実施形態に過ぎず、情報獲得部１２０は多様なユーザの身体情報を獲得することができる。例えば、情報獲得部１２０は、血圧計を用いてユーザの血圧情報を獲得することができ、脈拍計を用いてユーザの脈拍情報を獲得することができる。
【００５２】
なお、情報獲得部１２０は、ユーザの設定を通じてユーザの運動目標情報を獲得することができる。このとき、ユーザの運動目標情報には、ユーザの目標体重（または目標減量体重）、カロリー消費量、運動期間およびユーザの利用する運動コンテンツのうち、少なくとも何れか一つを含んでよい。
【００５３】
例えば、情報獲得部１２０は、図３Ａないし図３Ｂに示すように、運動目標入力ＵＩを用いてユーザの目標減量体重を入力することができる。図３Ａに示すように、目標減量体重が１ｋｇである場合、運動目標入力ＵＩ３００は目標減量体重および目標減量体重に対応するカロリー消費量を複数のメニュー３１０、３２０を通じて表示することができる。このとき、目標減量体重が表示されたメニュー３１０が選択されると、図３Ｂに示すように、ユーザは自分が減量しようとする目標減量体重を変更することができる。そして、ユーザが３ｋｇを減量しようとする場合、ユーザは、図３Ｂに示すように、メニュー３１０を通じて３ｋｇを選択することができる。そして、３ｋｇが選択されると、運動目標入力ＵＩ３１０には、複数のメニュー３１０、３２０に変更された目標減量体重およびカロリー消費量をディスプレイすることができる。
【００５４】
なお、情報獲得部２１０は、図４に示すようなミッションリスト４００を用いて運動目標を設定することができるようになる。このとき、ミッションリスト４００とは、ユーザが消費しようとするカロリー量に対応するミッション（Ｍｉｓｓｉｏｎ）と同時にディスプレイすることにより、ユーザにカロリー消費量をガイドするリストである。例えば、ミッションリスト４００には、図４に示すように、エンパイア・ステート・ビルディング登りが４５７ｋｃａｌの消費カロリーが必要であることをガイドすることができる。このようなミッションリストを通じて、ユーザは簡単かつ興味深く自分のカロリー消費量を確認することができる。
【００５５】
なお、情報獲得部２１０は、ユーザの日付別運動目標量およびユーザが利用する運動コンテンツを設定することができる。例えば、情報獲得部２１０は、図５Ａに示すようなカレンダーＵＩ５１０を用いて、日付別運動目標量を設定することができ、図５Ｂに示すような運動コンテンツ設定ＵＩ５２０を用いて、ユーザが利用する運動プログラム、アプリケーション、コンテンツ等を設定することができる。
【００５６】
運動量測定部１３０は、ユーザの運動量情報を測定する。このとき、運動量情報とは、ユーザが利用した運動コンテンツ情報、ユーザの運動時間情報および消費カロリー情報のうち、少なくとも何れか一つを含む。
【００５７】
特に、運動量測定部１３０は、デプスカメラとアームバンドとを用いて消費カロリーを算出することができる。具体的に、運動量測定部１３０は、デプスカメラを用いてユーザの動きを撮影する。このとき、ユーザの動きは、ユーザの身体を複数のブロック（例えば、左腕領域、右腕領域、左足領域、右足領域、胴体領域等）に区分して判断することができる。そして、運動量測定部１３０は、予め設定された消費カロリーとマッチして保存された動きモデルと撮影されたユーザ動きとを比較する。そして、運動量測定部１３０は、動きモデルとユーザ動きとの類似度を算出して、カロリー消費量を測定することができる。
【００５８】
なお、運動量測定部１３０は、運動コンテンツまたは運動アプリケーションに関連するメタデータを用いて運動量情報を測定することができる。このとき、メタデータには、コンテンツ別に時間当りの平均カロリー消費量情報を保存される。例えば、Ａアプリケーションに関連するメタデータにＡアプリケーションを実行する場合、１時間当り１０００ｃａｌの消費カロリー量が発生するという情報が含まれ、Ａアプリケーションを１時間３０分間利用した場合、運動量測定部１３０はＡアプリケーションを利用したカロリー消費量を１０００ｃａｌ×１.５＝１５００ｃａｌで計算する。
【００５９】
しかし、上述の実施形態は一実施形態に過ぎず、多様な方法で消費カロリーを測定することができる。例えば、運動量測定部１３０は、ユーザの脈拍を用いてユーザの動きに対するカロリー消費量を測定することができる。
【００６０】
通信部１４０は、外部の健康管理サーバ２００と通信を行う。このとき、通信部１４０は、Ｗｉ−Ｆｉモジュールと、イーサネット（登録商標）（Ｅｔｈｅｒｎｅｔ（登録商標））等を用いてよいが、それに限られるものではない。
【００６１】
特に、通信部１４０は、情報獲得部１２０および運動量測定部１３０から出力されたユーザの身体情報、ユーザの運動目標情報およびユーザの運動量情報を健康管理サーバ２００に伝送することができる。
【００６２】
なお、通信部１４０は、健康管理サーバ２００から健康管理データを受信することができる。ここで、健康管理データは、健康管理サーバ２００でユーザの身体情報、ユーザの運動目標情報、ユーザの統合運動量情報を用いて生成された情報である。このとき、健康管理データは、ユーザの変化した身体情報、ユーザが目標を達成できたか否か、おすすめの運動コンテンツ等が含まれてよい。しかし、上述の健康管理データは一実施形態に過ぎず、加工されたデータではないユーザの身体情報、ユーザの運動目標情報およびユーザの統合運動量情報が含まれたデータであってよい。
【００６３】
ＵＩ生成部１５０は、運動量情報管理サービスを提供するための多様なＵＩ（Ｕｓｅｒ  Ｉｎｔｅｒｆａｃｅ）を生成する。特に、ＵＩ生成部１５０は、上述の図３Ａないし図５Ｂに示すように、運動目標を入力するための多様なＵＩを生成することができる。
【００６４】
なお、ＵＩ生成部１５０は、通信部１４０を介して受信された健康管理データを用いて健康管理ＵＩを生成することができる。健康管理ＵＩは、健康管理サーバ２００から統合演算された統合運動量を日付別に、または、コンテンツ別にグラフを用いて表示してよく、ユーザの変化した身体情報およびユーザの運動目標達成可否を表示することができる。
【００６５】
例えば、健康管理ＵＩ６００は、図６に示すように、ユーザの身体変化情報を日付別にグラフを通じて表示してよい。なお、健康管理ＵＩ７００は、図７に示すように、ユーザが消費したカロリー量を日付別に表示することができ、ユーザが利用したコンテンツおよび当該コンテンツを利用することで消費したカロリー量を表示することができる。
【００６６】
ディスプレイ部１６０は、制御部１７０の制御によって信号処理された映像データをディスプレイする。なお、ディスプレイ部１６０は、ＵＩ生成部１５０から生成された多様なＵＩをディスプレイすることができる。
【００６７】
制御部１７０は、入力されたユーザ命令に従って、ディスプレイ装置１００の動作全般を制御する。なお、制御部１７０は、上述のようなユーザ認証部１１０と、情報獲得部１２０と、運動量測定部１３０と、通信部１４０と、ＵＩ生成部１５０およびディスプレイ部１６０を制御する。
【００６８】
特に、制御部１７０は、ユーザの運動コンテンツおよび各々の運動コンテンツによる身体変化等を分析してユーザにおすすめの運動コンテンツを提供することができる。
【００６９】
上述のような本発明の一実施形態に係るディスプレイ装置１００を介して、ユーザは自分の健康状態の変化を直観的に確認することができ、複数の運動コンテンツを用いて統合的に健康管理をすることができるようになる。
【００７０】
図８は、本発明の一実施形態に係る健康管理サーバ２００の構成を示すブロック図である。図８に示すように、健康管理サーバ２００は、通信部２１０と、保存部２２０および制御部２３０を含む。
【００７１】
通信部２１０は、複数のディスプレイ装置１００−１、１００−２、…と通信を行う。特に、通信部２１０の複数のディスプレイ装置１００−１、１００−２、…からユーザの身体情報、ユーザの運動目標情報およびユーザの運動量情報を受信してよい。なお、通信部２１０は、データ生成部２３０から生成された健康管理データをディスプレイ装置１００に伝送してよい。
【００７２】
保存部２２０は、複数のディスプレイ装置１００−１、１００−２、…から受信されたユーザの身体情報、ユーザの運動目標情報およびユーザの運動量情報を保存する。このとき、保存部２２０は、複数の上述の情報をユーザ別に保存してよい。
【００７３】
制御部２３０は、運動量情報管理サービス提供者の制御に従って、健康管理サーバ２００の全体的な機能および動作を制御する。特に、制御部２４０は、ユーザの健康管理のために、通信部２１０および保存部２２０を制御してよい。
【００７４】
特に、制御部２３０は、複数のディスプレイ装置１００−１、１００−２、…から受信されたユーザ運動量情報をユーザ別に統合演算して統合運動量情報を生成する。具体的に、制御部２３０は、複数のディスプレイ装置１００−１、１００−２、…から受信された運動量情報のうち、ユーザ“Ａ”の運動量情報のみを統合的に演算してユーザ“Ａ”に対する統合運動量情報を生成する。
【００７５】
例えば、ユーザ“Ａ”が“ａ運動コンテンツ”を用いて２０１１年１２月１日に３００ｃａｌを消費し、２０１１年１２月３日に１００ｃａｌを消費し、“ｂ運動コンテンツ”を用いて２０１１年１２月２日に５００ｃａｌを消費し、“ｃ運動コンテンツ”を用いて２０１１年１２月１日に２００ｃａｌを消費し、２０１１年１２月２日に６００ｃａｌを消費した場合、制御部２３０は以下のような統合運動量情報を生成することができる。
【００７６】
【表１】
2013156995.tif 000003
よって、上記のような統合運動量情報を用いて、ユーザは２０１１年１２月１日から２０１１年１２月２日までに利用した全ての運動量情報、コンテンツ別の運動量情報および日付別の運動量情報を確認することができるようになる。
【００７７】
このとき、ユーザ“Ａ”に対する統合運動量情報は、ユーザ“Ａ”が複数のディスプレイ装置１００−１、１００−２…を通じて利用した運動コンテンツ、カロリー消費量、運動日付情報だけでなく、コンテンツ利用時間や日付別の累積カロリー消費量等のような更なる運動量情報が含まれてよい。
【００７８】
なお、複数のディスプレイ装置１００−１、１００−２…から受信された運動量情報のカロリー単位が異なる場合、制御部２３０はカロリー単位を一致させて統合運動量情報を生成することができる。例えば、Ａディスプレイ装置で受信されたカロリー単位がｃａｌであり、Ｂディスプレイ装置で受信されたカロリー単位がＫｃａｌであり、Ｃディスプレイ装置で受信されたカロリー単位がＭＥＴｓ（Ｍｅｔａｂｏｌｉｃ  Ｅｑｕｉｖａｌｅｎｔ  ｏｆ  Ｔａｓｋ）である場合、健康管理サーバ２００はＡディスプレイ装置、Ｂディスプレイ装置、Ｃディスプレイ装置から伝送された運動量情報をｃａｌ単位に変換して統合演算することができる。ここで、ＭＥＴｓ単位は、以下のような数式によってカロリー単位に変換されてよい。
【００７９】
【数１】
2013156995.tif 000004
ここで、ＭＥＴｓは運動量値、Ｔは運動時間（ｍｉｎ）、Ｗは体重（ｋｇ）、Ａは年齢情報係数およびＷｍは性別情報係数（男性：６３、女性：５２）であってよい。
【００８０】
年齢情報係数は、以下の表２のように定義されてよい。
【００８１】
【表２】
2013156995.tif 000005
なお、制御部２３０は、保存部２２０に保存されたユーザの身体情報、ユーザの運動目標情報およびユーザの統合運動量情報を用いて健康管理データを生成することができる。このとき、健康管理データは、ユーザの変化した身体情報、ユーザが目標を達成できた否か、おすすめの運動コンテンツ等が含まれてよい。しかし、上述の健康管理データは、一実施形態に過ぎず、加工されたデータではない、ユーザの身体情報、ユーザの運動目標情報およびユーザの統合運動量情報が含まれたデータであってよい。
【００８２】
上述のような健康管理サーバ２００を通じて、ユーザは複数のディスプレイ装置１００−１、１００−２、…を用いて時間と場所によらずに、自分の健康を管理することができるようになる。
【００８３】
以下では、図９ないし図１１を参照して、本発明の多様な実施形態に係る健康管理方法について説明する。
【００８４】
図９は、本発明の一実施形態に係るディスプレイ装置１００の健康管理方法を説明するためのフローチャートである。
【００８５】
まず、ディスプレイ装置１００はユーザを認証する（Ｓ９１０）。このとき、ディスプレイ装置１００は、ＩＤ／パスワード、顔認識、虹彩認識および指紋認識を用いてユーザを認証することができる。
【００８６】
そして、ディスプレイ装置１００は、ユーザ身体情報を獲得する（Ｓ９２０）。このとき、ユーザの身体情報は、ユーザの身長および体重の少なくともいずれか一方を含んでよく、ディスプレイ装置１００はデプスカメラを用いてユーザの身長情報を獲得し、デジタル体重計を用いてユーザの体重情報を獲得することができる。
【００８７】
そして、ディスプレイ装置１００は、ユーザ運動目標情報を設定する（Ｓ９３０）。このとき、ユーザ運動目標情報は、ユーザの目標体重、カロリー消費量、運動期間およびユーザの利用する運動コンテンツのうち、少なくともいずれか一つを含んでよい。特に、ディスプレイ装置１００は、図３Ａないし図５Ｂに示すように、多様な運動目標入力ＵＩを通じて運動目標情報を入力することができる。
【００８８】
そして、ディスプレイ装置１００は、獲得した身体情報および運動目標情報をサーバ２００に伝送する（Ｓ９４０）。
【００８９】
そして、ディスプレイ装置１００は、運動量情報を測定する（Ｓ９５０）。このとき、運動量情報は、ユーザの利用した運動コンテンツ情報、ユーザの運動時間情報およびデプスカメラとアームバンドとを用いて算出された消費カロリー情報のうち、少なくともいずれか一つを含んでよい。
【００９０】
そして、ディスプレイ装置１００は、算出された運動量情報をサーバに伝送する（Ｓ９６０）。
【００９１】
そして、ディスプレイ装置１００は、ユーザから健康管理データ受信が要求されたか否かを判断する（Ｓ９７０）。
【００９２】
健康管理データ受信要求が入力されると（Ｓ９７０−Ｙ）、ディスプレイ装置１００は、サーバ２００から健康管理データを受信する（Ｓ９８０）。このとき、健康管理データには、ユーザの変化した身体情報、ユーザが目標を達成できた否か、おすすめの運動コンテンツ等が含まれてよい。しかし、上述の健康管理データは、一実施形態に過ぎず、加工されたデータではない、ユーザの身体情報、ユーザの運動目標情報およびユーザの統合運動量情報が含まれたデータであってよい。
【００９３】
そして、ディスプレイ装置１００は、健康管理ＵＩを生成し、ディスプレイする（Ｓ９９０）。このとき、健康管理ＵＩは、サーバ２００から統合演算された統合運動量情報を日付別に、またはコンテンツ別にグラフを用いて表示することができ、ユーザの変化した身体情報およびユーザが目標を達成できた否かを表示することができる。例えば、健康管理ＵＩは、図６および図７に示すようなＵＩであってよ。
【００９４】
上述のようなディスプレイ装置１００によると、ユーザは複数の運動コンテンツを用いて統合的に運動量情報管理サービスを受けることができるようになる。なお、ユーザは、自分の健康状態を直観的に確認することができるようになる。
【００９５】
図１０は、本発明の一実施形態に係る健康管理サーバ２００の健康管理方法を説明するためのフローチャートである。
【００９６】
まず、健康管理サーバ２００は、ユーザを認証する（Ｓ１０１０）。このとき、ユーザはディスプレイ装置１００から認証されたユーザとして、運動量情報管理サービスを受けるユーザである。
【００９７】
そして、健康管理サーバ２００は、ディスプレイ装置１００からユーザの身体情報、運動目標情報および運動量情報を受信して保存する（Ｓ１０２０）。このとき、ユーザの身体情報、運動目標情報および運動量情報は複数のディスプレイ装置１００−１、１００−２、…から受信されてよい。
【００９８】
そして、健康管理サーバ２００は、受信された運動量情報を統合演算して統合運動量情報を生成する（Ｓ１０３０）。このとき、統合運動量情報とは、複数の運動コンテンツおよび複数のディスプレイ装置を用いて生成された運動量情報をユーザ別に統合して管理される情報である。
【００９９】
そして、健康管理サーバ２００は、健康管理データを生成する（Ｓ１０４０）。このとき、健康管理データは、ユーザの身体情報、運動目標情報および統合運動量情報を用いて生成されたデータである。特に、健康管理データには、ユーザの変化した身体情報、ユーザが目標を達成できた否か、おすすめの運動コンテンツ等が含まれてよい。しかし、上述の健康管理データは、一実施形態に過ぎず、加工されたデータではない、ユーザの身体情報、ユーザの運動目標情報およびユーザの運動量情報が含まれたデータであってよい。
【０１００】
そして、健康管理サーバ２００は、ディスプレイ装置１００から健康管理データ伝送要求を受信する（Ｓ１０５０）。
【０１０１】
健康管理データ伝送要求が受信されると、健康管理サーバ２００は健康管理データを外部のディスプレイ装置１００に伝送する（Ｓ１０６０）。
【０１０２】
上述のような健康管理サーバ２００を通じて、ユーザの複数のディスプレイ装置１００を用いて場所と時間によらずに、自分の健康を管理することができるようになる。
【０１０３】
一方、上述の実施形態では、健康管理データ伝送要求前に健康管理データを先に生成するものとして説明したが、それは一実施形態に過ぎず、健康管理データ伝送要求が受信されると、健康管理データを生成することができる。
【０１０４】
図１１は、本発明の一実施形態に係る運動量情報管理システム１０の健康管理方法を説明するためのフローチャートである。
【０１０５】
まず、テレビ１００−１はユーザ認証を行う（Ｓ１１０１）。そして、テレビ１００−１は、ユーザ身体情報を獲得し（Ｓ１１０２）、ユーザ運動目標情報を設定する（Ｓ１１０３）。
【０１０６】
そして、テレビ１００−１は、獲得されたユーザ身体情報および運動目標情報をサーバ２００に伝送する（Ｓ１１０４）。
【０１０７】
サーバ２００は、受信されたユーザ身体情報および運動目標情報を保存する（Ｓ１１０５）。
【０１０８】
そして、テレビ１００−１は、第１運動量情報を測定し（Ｓ１１０６）、測定された第１運動量情報を外部のサーバ２００に伝送する（Ｓ１１０７）。
【０１０９】
サーバ２００は、受信された第１運動量情報を保存する（Ｓ１１０８）。そして、サーバ２００は、受信されたユーザ身体情報、運動目標情報および第１運動量情報を用いて第１健康管理データを生成する（Ｓ１１０９）。
【０１１０】
そして、携帯電話１００−２は、テレビ１００−１で認証されたユーザと同一のユーザを認証する（Ｓ１１１０）。
【０１１１】
そして、携帯電話１００−２は、第２運動量情報を測定し（Ｓ１１１１）、測定された第２運動量情報を外部のサーバ２００に伝送する（Ｓ１１１２）。
【０１１２】
第２運動量情報が伝送されると、サーバ２００は、第２運動量情報を保存する（Ｓ１１１３）。そして、サーバ２００は、受信されたユーザ身体情報、運動目標情報、第１運動量情報および第１運動量情報と第２運動量情報とを統合演算した統合運動量情報を用いて第２健康管理データを生成する（Ｓ１１１４）。
【０１１３】
その後、テレビ１００−１は、サーバで健康管理データを要求する（Ｓ１１１５）。
【０１１４】
健康管理データ要求信号が受信されると、サーバ２００は最新の第２健康管理データをテレビ１００−１に伝送する（Ｓ１１１６）。
【０１１５】
第２健康管理データが受信されると、テレビ１００−１は第２健康管理データを用いて健康管理ＵＩを生成し（Ｓ１１１７）、生成された健康管理ＵＩをディスプレイする（Ｓ１１１８）。
【０１１６】
上述のような運動量情報管理システム１０を用いて、ユーザは自分の健康状態の変化を直観的に確認することができ、複数のディスプレイ装置１００−１、１００−２を用いて統合的に健康管理を行うことができるようになる。
【０１１７】
なお、上述の本発明の多様な実施形態に係る健康管理方法を行うためのプログラムコードは、多様な記録媒体に保存されてよい。
【０１１８】
具体的に、フラッシュメモリ、ＲＯＭ（Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）、ハードディスク、リムーバブルディスク、メモリカード、ＵＳＢメモリ、ＣＤ−ＲＯＭ等のように、端末機で読み取り可能な多様な類型の記録媒体に保存されていてよい。
【０１１９】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【符号の説明】
【０１２０】
１００−１  テレビ
１００−２  携帯電話
１１０  ユーザ認証部
１２０  情報獲得部
１３０  運動量測定部
１４０  通信部
１５０  ＵＩ生成部
１６０  ディスプレイ部
１７０  制御部
２００  サーバ
２１０  通信部
２２０  保存部
２３０  制御部
【図１】
2013156995.tif 000006
【図２】
2013156995.tif 000007
【図３Ａ】
2013156995.tif 000008
【図３Ｂ】
2013156995.tif 000009
【図３Ｃ】
2013156995.tif 000010
【図４】
2013156995.tif 000011
【図５Ａ】
2013156995.tif 000012
【図５Ｂ】
2013156995.tif 000013
【図６】
2013156995.tif 000014
【図７】
2013156995.tif 000015
【図８】
2013156995.tif 000016
【図９】
2013156995.tif 000017
【図１０】
2013156995.tif 000018
【図１１】
2013156995.tif 000019